(57)【要約】【課題】住宅等の建物における窓ガラス等の被払拭面の拭き残しを極力無くすことができる建物用窓ガラス清掃装置を得る。【解決手段】建物用窓ガラス清掃装置１０は第１のワイパ装置２８と第２のワイパ装置３０とによって構成されている。第１のワイパ装置２８は窓ガラス１６の一方の短辺側に配置され、第２のワイパ装置３０は窓ガラス１６の他方の短辺側に配置されている。第１のワイパ装置２８は第１アーム部３６及び第２アーム部３８から成るワイパアーム３４を備えており、トーションスプリング４８によって開き方向に付勢されている。また、ストッパ５０によって開き角は最大１８０度に設定されている。従って、実線図示状態から徐々に有効アーム長が増加していき、払拭面積が増加される。よって、拭き残しが大幅に減少する。さらに、第２のワイパ装置３０によって残りの拭き残しも払拭される。【選択図】図１
2007277860.tif 000002
【特許請求の範囲】
【請求項１】
建物に設置された窓の被払拭面に沿って回動可能に設けられたワイパアームと、
このワイパアームに直接又は間接的に支持されると共に被払拭面に接触状態で配置され、ワイパアームの回動動作に伴ってワイパアームと一体的に回動して被払拭面を払拭する払拭部材と、
を有する建物用窓ガラス清掃装置であって、
前記ワイパアームの往路回動時にはその回動途中で当該ワイパアームの払拭に寄与する有効アーム長を増加させ、前記ワイパアームの復路回動時にはその回動途中で当該ワイパアームの有効アーム長を減少させるアーム長変更手段を備えている、
ことを特徴とする建物用窓ガラス清掃装置。
【請求項２】
前記ワイパアームは複数のアーム部に分割されていると共に、隣接する一方のアーム部が他方のアーム部に対して相対回転可能となるように相互に連結されており、
前記アーム長変更手段によって、隣接する一方のアーム部に対する他方のアーム部のなす角度を変更していくことにより、ワイパアーム全体の有効アーム長を増減させる、
ことを特徴とする請求項１記載の建物用窓ガラス清掃装置。
【請求項３】
前記ワイパアームは、回動中心側に位置する第１アーム部と、反回動中心側に位置しかつ第１アーム部に対して相対回転可能に連結された第２アーム部と、を含んで構成されており、
前記アーム長変更手段は、第２アーム部と第１アーム部とのなす角度が広がるように介装された付勢手段と、第１アーム部に対する第２アーム部の開き角度を所定角度に制限する制限手段と、を含んで構成されている、
ことを特徴とする請求項１又は請求項２記載の建物用窓ガラス清掃装置。
【請求項４】
前記被払拭面は矩形状に形成されており、
前記第１アーム部のアーム長は当該被払拭面の短辺の長さと略同一に設定されていると共に、前記第１アーム部及び前記第２アーム部による最大有効アーム長は当該被払拭面の長辺の長さと略同一に設定されている、
ことを特徴とする請求項３記載の建物用窓ガラス清掃装置。
【請求項５】
初期状態では前記第１アーム部と前記第２アーム部とが前記付勢手段の付勢力に抗して直角に配置されており、
当該付勢手段の付勢力によって第１アーム部と第２アーム部とが同一直線上又は略同一直線上に位置されるまでは、第２アーム部の先端部は被払拭面の長辺に沿った移動軌跡に沿って移動していく、
ことを特徴とする請求項４記載の建物用窓ガラス清掃装置。
【請求項６】
前記被払拭面の対角線上に位置する一方の角部に前記ワイパアームの回動中心が設定されており、当該被払拭面の対角線上に位置する他方の角部に別のワイパ装置の回動中心が設定されている、
ことを特徴とする請求項１乃至請求項５のいずれか一項に記載の建物用窓ガラス清掃装置。
【請求項７】
前記被払拭面は、建物の屋根に設けられるトップライトのガラス面及び建物の外壁上部に設けられるハイサイドライトのガラス面の少なくとも一方である、
ことを特徴とする請求項１乃至請求項６のいずれか一項に記載の建物用窓ガラス清掃装置。
【請求項８】
前記被払拭面の近傍に、当該被払拭面上に洗浄液を吐出するウォッシャノズルを設置した、
ことを特徴とする請求項１乃至請求項７のいずれか一項に記載の建物用窓ガラス清掃装置。
【発明の詳細な説明】
【技術分野】
【０００１】
本発明は、建物に設置された窓の被払拭面をワイパ装置で払拭する建物用窓ガラス清掃装置に関する。
【背景技術】
【０００２】
下記特許文献１には、自動車の使用済みの各種部品を建築用品や生活用品に転用することで再利用の途を開くことが提案されている。その一例として、住宅の出窓に車両用ワイパ装置を取り付けて、出窓の窓ガラスを自動的に払拭することが提案されている。
【特許文献１】特開２００４−１２２９１７号公報
【発明の開示】
【発明が解決しようとする課題】
【０００３】
しかしながら、上記先行技術による場合、あくまでも自動車の使用済みの車両用ワイパ装置をそのまま住宅の出窓の窓ガラス清掃用に転用することを開示しているに過ぎないので、これを住宅の窓ガラス清掃用に適用した場合には、必ず払拭残りが発生する。つまり、車両用ワイパ装置は、自動車のウインドシールドガラス等の三次元曲面形状のガラスを、ドライバが必要とする視界を確保できる範囲で払拭するという観点で作られている。これに対し、住宅の窓ガラスは一般に矩形平板状のものが多く、窓ガラスの清掃に際しては払拭残りが発生しないように払拭することが求められる。従って、車両用ワイパ装置を住宅の窓ガラス清掃用に単に転用しただけでは、必ず払拭残りが発生し、充分な清掃をすることができないという課題が生じる。
【０００４】
本発明は上記事実を考慮し、住宅等の建物における窓ガラス等の被払拭面の拭き残しを極力無くすことができる建物用窓ガラス清掃装置を得ることが目的である。
【課題を解決するための手段】
【０００５】
請求項１の発明に係る建物用窓ガラス清掃装置は、建物に設置された窓の被払拭面に沿って回動可能に設けられたワイパアームと、このワイパアームに直接又は間接的に支持されると共に被払拭面に接触状態で配置され、ワイパアームの回動動作に伴ってワイパアームと一体的に回動して被払拭面を払拭する払拭部材と、を有する建物用窓ガラス清掃装置であって、前記ワイパアームの往路回動時にはその回動途中で当該ワイパアームの払拭に寄与する有効アーム長を増加させ、前記ワイパアームの復路回動時にはその回動途中で当該ワイパアームの有効アーム長を減少させるアーム長変更手段を備えている、ことを特徴とする。
【０００６】
請求項２の発明は、請求項１記載の建物用窓ガラス清掃装置において、前記ワイパアームは複数のアーム部に分割されていると共に、隣接する一方のアーム部が他方のアーム部に対して相対回転可能となるように相互に連結されており、前記アーム長変更手段によって、隣接する一方のアーム部に対する他方のアーム部のなす角度を変更していくことにより、ワイパアーム全体の有効アーム長を増減させる、ことを特徴とする。
【０００７】
請求項３の発明は、請求項１又は請求項２記載の建物用窓ガラス清掃装置において、前記ワイパアームは、回動中心側に位置する第１アーム部と、反回動中心側に位置しかつ第１アーム部に対して相対回転可能に連結された第２アーム部と、を含んで構成されており、前記アーム長変更手段は、第２アーム部と第１アーム部とのなす角度が広がるように介装された付勢手段と、第１アーム部に対する第２アーム部の開き角度を所定角度に制限する制限手段と、を含んで構成されている、ことを特徴とする。
【０００８】
請求項４の発明は、請求項３記載の建物用窓ガラス清掃装置において、前記被払拭面は矩形状に形成されており、前記第１アーム部のアーム長は当該被払拭面の短辺の長さと略同一に設定されていると共に、前記第１アーム部及び前記第２アーム部による最大有効アーム長は当該被払拭面の長辺の長さと略同一に設定されている、ことを特徴とする。
【０００９】
請求項５の発明は、請求項４記載の建物用窓ガラス清掃装置において、初期状態では前記第１アーム部と前記第２アーム部とが前記付勢手段の付勢力に抗して直角に配置されており、当該付勢手段の付勢力によって第１アーム部と第２アーム部とが同一直線上又は略同一直線上に位置されるまでは、第２アーム部の先端部は被払拭面の長辺に沿った移動軌跡に沿って移動していく、ことを特徴とする。
【００１０】
請求項６の発明は、請求項１乃至請求項５のいずれか一項に記載の建物用窓ガラス清掃装置において、前記被払拭面の対角線上に位置する一方の角部に前記ワイパアームの回動中心が設定されており、当該被払拭面の対角線上に位置する他方の角部に別のワイパ装置の回動中心が設定されている、ことを特徴とする。
【００１１】
請求項７の発明は、請求項１乃至請求項６のいずれか一項に記載の建物用窓ガラス清掃装置において、前記被払拭面は、建物の屋根に設けられるトップライトのガラス面及び建物の外壁上部に設けられるハイサイドライトのガラス面の少なくとも一方である、ことを特徴とする。
【００１２】
請求項８の発明は、請求項１乃至請求項７のいずれか一項に記載の建物用窓ガラス清掃装置において、前記被払拭面の近傍に、当該被払拭面上に洗浄液を吐出するウォッシャノズルを設置した、ことを特徴とする。
【００１３】
請求項１記載の本発明によれば、ワイパアームが被払拭面に沿って回動すると、これに伴って、ワイパアームに直接又は間接的に支持されると共に被払拭面に接触状態で配置された払拭部材が、ワイパアームと一体的に回動される。これにより、建物に設置された窓の被払拭面が払拭部材によって払拭される。
【００１４】
ここで、本発明では、アーム長変更手段を備えているため、ワイパアームの往路回動時には、その回動途中で当該ワイパアームの払拭に寄与する有効アーム長が増加される。従って、有効アーム長が変化しない従来構造に比し、被払拭面の払拭範囲が広くなる（払拭面積が増加する）。従って、被払拭面の拭き残しも少なくなる。なお、ワイパアームの復路回動時には、その回動途中でワイパアームの有効アーム長が減少し、元の状態に復帰する。
【００１５】
請求項２記載の本発明によれば、ワイパアームが複数のアーム部に分割されており、かつ隣接する一方のアーム部は他方のアーム部に対して相対回転可能に連結されている。
【００１６】
この構成を前提として、本発明では、アーム長変更手段によって、隣接する一方のアーム部に対する他方のアーム部のなす角度を変更していくことにより、ワイパアーム全体の有効アーム長を増減させる構成としたので、一般的な車両用ワイパ装置の払拭範囲に比し、広範囲に払拭することが可能になる。
【００１７】
つまり、一般的な車両用ワイパ装置は、ピボット軸回りに往復回動するワイパアームと、その先端部に係止されたワイパブレードとによって構成されており、更にワイパブレードは複数のレバーと被払拭面を払拭するブレードラバーとによって構成されている。ブレードラバーの長さはワイパブレードの長さと略同一に設定されているため、ワイパアームが回動すると、払拭形状は概ね扇形となる。これに対し、本発明では、隣接する一方のアーム部に対する他方のアーム部のなす角度を変更していくことにより、ワイパアーム全体の有効アーム長を増減させる構成としたので、略扇形の払拭形状と異なる払拭形状を実現することができる。従って、一般的な車両用ワイパ装置に比べて広範囲に払拭することができる。
【００１８】
請求項３記載の本発明によれば、ワイパアームは第１アーム部と第２アーム部とを含んで構成されており、アーム長変更手段が備える付勢手段によって第１アーム部及び第２アーム部には両者のなす角度が広がる方向への付勢力が作用している。一方、アーム長変更手段は制限手段をも備えており、第１アーム部に対する第２アーム部の開き角度は所定角度に制限される。従って、ワイパアームが回動すると、それに伴って第１アーム部に対する第２アーム部の開き角度が徐々に増加していき、制限手段によって制限されると、それ以上の第１アーム部に対する第２アーム部の開き方向への相対回転は阻止される。
【００１９】
このように付勢手段と制限手段とを設けることにより、第１アーム部に対する第２アーム部のなす角度を徐々に増加させていき、例えば第１アーム部と第２アーム部との合計アーム長が最も長くなる両者のなす角度が１８０度となったときに制限をかけるといったことが可能となる。このようにすれば、被払拭面に対する払拭範囲が最大限拡大される。
【００２０】
請求項４記載の本発明によれば、被払拭面の形状が矩形状とされており、第１アーム部のアーム長は被払拭面の短辺の長さと略同一に設定されているため、拭き始めとなる短辺側に拭き残しは生じない。また、第１アーム部及び第２アーム部による最大有効アーム長は被払拭面の長辺の長さと略同一に設定されているため、拭き終わりとなる長辺側に拭き残しは生じない。
【００２１】
請求項５記載の本発明によれば、初期状態では第１アーム部と第２アーム部とが付勢手段の付勢力に抗して直角に配置されており、当該付勢手段の付勢力によって第１アーム部と第２アーム部とが同一直線上又は略同一直線上に位置されるまでは、第２アーム部の先端部は被払拭面の長辺に沿った移動軌跡に沿って移動していくので、拭き始めから第１アーム部と第２アーム部とが同一直線上又は略同一直線上に位置されるまでは（即ち、有効アーム長が最大になるまでは）、第２アーム部の先端部が被払拭面の長辺に沿って移動して、払拭可能な範囲を広げていく。
【００２２】
請求項６記載の本発明によれば、矩形状の被払拭面の対角線上に位置する一方の角部に前述したワイパアームの回動中心が設定されているため、当該一方の角部を回動中心として払拭範囲が規定される。この場合、被払拭面の対角線上に位置する他方の角部側に拭き残しが生じる。しかし、本発明では、当該他方の角部に別のワイパ装置の回動中心を設定したので、発生した拭き残しは別のワイパ装置によって払拭される。
【００２３】
請求項７記載の本発明によれば、建物の屋根に設けられるトップライトのガラス面及び建物の外壁上部に設けられるハイサイドライトのガラス面の少なくとも一方を建物用窓ガラス清掃装置によって清掃することとしたので、人の手が届かないところにあるガラス面を簡単に清掃することができると共に高所作業によるガラス面の清掃作業を無くすことができる。
【００２４】
請求項８記載の本発明によれば、被払拭面の近傍にウォッシャノズルを設置したので、建物用窓ガラス清掃装置を使って被払拭面を払拭する際に、洗浄液を使って払拭することができる。従って、落ち難い汚れもきれいに落とすことができる。
【発明の効果】
【００２５】
以上説明したように、請求項１記載の建物用窓ガラス清掃装置は、住宅等の建物における窓ガラス等の被払拭面の拭き残しを極力無くすことができるという優れた効果を有する。
【００２６】
請求項２記載の本発明に係る建物用窓ガラス清掃装置は、一般的な車両用ワイパ装置の払拭範囲よりも広範囲に払拭することができるという優れた効果を有する。
【００２７】
請求項３記載の本発明に係る建物用窓ガラス清掃装置は、簡単な構成で、被払拭面に対する払拭範囲の最大化を図ることができるという優れた効果を有する。
【００２８】
請求項４記載の本発明に係る建物用窓ガラス清掃装置は、矩形状の被払拭面に対する拭き始め位置及び拭き終わり位置での拭き残しを無くすことができるという優れた効果を有する。
【００２９】
請求項５記載の本発明に係る建物用窓ガラス清掃装置は、矩形状の被払拭面に対して払拭可能な範囲を最大限拡大することができる（換言すれば、拭き残しを最小限に抑えることができる）という優れた効果を有する。
【００３０】
請求項６記載の本発明に係る建物用窓ガラス清掃装置は、被払拭面の拭き残しを無くすことができるという優れた効果を有する。
【００３１】
請求項７記載の本発明に係る建物用窓ガラス清掃装置は、人の手が届かない高所にある被払拭面を安全かつ簡単に清掃することができるという優れた効果を有する。
【００３２】
請求項８記載の本発明に係る建物用窓ガラス清掃装置は、被払拭面をより一層きれいに清掃することができるという優れた効果を有する。
【発明を実施するための最良の形態】
【００３３】
以下、図１〜図６を用いて、本発明に係る建物用窓ガラス清掃装置の一実施形態について説明する。
【００３４】
図１には、本実施形態に係る建物用窓ガラス清掃装置の全体斜視図が示されている。この図に示されるように、建物用窓ガラス清掃装置１０は、窓１２に設置されている。窓１２は、矩形状の窓枠１４と、窓枠１４内に嵌め込まれた被払拭面としての矩形平板状の窓ガラス１６と、を含んで構成されている。なお、窓１２の例としては、図５に示されるように、住宅１８の屋根２０に設置される採光用のトップライト２２や外壁２４の上部に設置されるハイサイドライト２６等、手の届かない位置に設けられた窓等が好適である。
【００３５】
図１に戻り、建物用窓ガラス清掃装置１０は、窓ガラス１６の上縁側（上側の短辺）に設けられた第１のワイパ装置２８と、窓ガラス１６の下縁側（下側の短辺）に設けられた第２のワイパ装置３０と、を主要部として構成されている。
【００３６】
第１のワイパ装置２８は、窓ガラス１６の対角線上の一方の角部に設置されたピボット軸（回動中心軸）３２と、このピボット軸３２と一体に回転するワイパアーム３４と、を含んで構成されている。なお、ピボット軸３２は図示しないワイパモータが駆動することにより、軸線回りに回転するようになっている。ワイパアーム３４の基端部はピボット軸３２の先端部にナットで固定されて一体化されている。
【００３７】
ワイパアーム３４は、窓ガラス１６の短辺長に略一致するアーム長を有する第１アーム部３６と、この第１アーム部３６の先端部に連結された第２アーム部３８と、を備えている。さらに、図２に示されるように、第１アーム部３６は、底面中央にスリット４０が形成された略コ字状の断面形状を成すアーム本体４２と、このアーム本体４２に挿嵌された状態で保持されるワイパラバー４４と、を備えている。ワイパラバー４４は弾性材料（ゴム）によって構成されており、略Ｔ字状の断面形状を成している。矩形断面とされてアーム本体４２に挿嵌される部分がワイパラバー４４の保持部４４Ａであり、この保持部４４Ａからアーム本体４２のスリット４０を通過してアーム本体４２の外部へ延出される部分がネック部４４Ｂであり、更にこのネック部４４Ｂから略三角形状に延出される部分が実際の払拭運動をするリップ部４４Ｃである。なお、断面構造は、第２アーム部３８も同様である。
【００３８】
図３には、第１アーム部３６と第２アーム部３８との連結部の構造が拡大して示されている。この図に示されるように、第１アーム部３６の先端部と第２アーム部３８の基端部とは、ヒンジピン４６によって相対回転可能に連結されている。従って、第２アーム部３８は、第１アーム部３６と同一平面内で相対回転することが可能である。また、ヒンジピン４６には付勢手段としてのトーションスプリング４８が巻装されている。トーションスプリング４８の一端部４８Ａは第１アーム部３６に係止されており、又トーションスプリング４８の他端部４８Ｂは第２アーム部３８に係止されている。このトーションスプリング４８は、図３（Ｂ）に示される状態が自然状態に近い状態であり、一端部４８Ａと他端部４８Ｂとが離れる方向へ付勢力を第１アーム部３６及び第２アーム部３８に作用させている。
【００３９】
さらに、第２アーム部３８の基端部の外周部には、制限手段としての舌片状のストッパ５０が接線方向（第２アーム部３８の長手方向）へ突出されている。従って、図３（Ａ）に示されるように第１アーム部３６と第２アーム部３８とが直角に配置された状態では、ストッパ５０は第１アーム部３６の側壁部３６Ａに当接しないため、両者の相対回転は可能であるが、図３（Ｂ）に示されるように第１アーム部３６と第２アーム部３８とが同一直線上に配置された状態になると、ストッパ５０が第１アーム部３６の側壁部３６Ａに当接するため、それ以上両者は相対回転することができないようになっている。
【００４０】
一方、図１に示されるように、窓ガラス１６の下縁側に設けられた第２のワイパ装置３０は、アーム部が分割されておらず、一般的なワイパ装置とされている。この第２のワイパ装置３０のピボット軸（回動中心軸）５２は、窓ガラス１６の対角線上の他方の角部に配置されている。また、第２のワイパ装置３０のワイパアーム５４のアーム長は、窓ガラス１６の短辺長に略一致する長さに設定されている。
【００４１】
（作用・効果）
次に、本実施形態の作用並びに効果について説明する。
【００４２】
図１及び図４（Ａ）に示されるように、第１のワイパ装置２８が作動すると、図示しないワイパモータの駆動力がピボット軸３２を介して第１アーム部３６に伝達される。このため、第１アーム部３６が矢印Ａ方向（往路回動方向）へと回動する。このとき、ヒンジピン４６に巻装されたトーションスプリング４８の付勢力が第２アーム部３８に作用しているため、第２アーム部３８は第１アーム部３６に対して開く方向へ回動しようとする。このため、第２アーム部３８の先端部３８Ａは矩形状の窓ガラス１６の右側縁（右側の長辺）に沿って直線状に移動して払拭していく。そして、第１アーム部３６の回動角が所定角度に達すると、第１アーム部３６と第２アーム部３８とが同一直線状に位置される。このとき、第２アーム部３８に設けられたストッパ５０が第１アーム部３６の側壁部３６Ａに当接係止されるので、第２アーム部３８は第１アーム部３６に対して１８０度を超えて開く方向へは相対回転しない。つまり、第２アーム部３８が第１アーム部３６に対して直線状に位置された以降は、その状態を維持しながら回動して窓ガラス１６を払拭していく。そして、最終的には、窓ガラス１６の左側縁（左側の長辺）に到達して往路回動時の払拭が終了する。従って、第１のワイパ装置２８による払拭範囲（面積）は図４（Ａ）の斜線部のようになり、矩形状の窓ガラス１６のほぼ大半が払拭される。
【００４３】
一方、第１のワイパ装置２８の復路回動時には、窓ガラス１６の左側縁（左側の長辺）を始点として、第１アーム部３６と第２アーム部３８とが同一直線上に位置された状態で、そのまま矢印Ｂ方向へ回動していく。第２アーム部３８の先端部３８Ａが窓ガラス１６の右側縁（右側の長辺）に当接し（図４（Ａ）の二点鎖線図示状態）、なおも第１アーム部３６の矢印Ｂ方向への回動が続くと、トーションスプリング４８の付勢力に抗して第２アーム部３８が第１アーム部３６に対して相対的に屈曲し（折れ曲がり）、両者のなす角度が狭められていく。なお、このときには、ストッパ５０は第１アーム部３６の側壁部３６Ａから離れるので、回動角の制限は解除された状態にある。そして、最終的には、第１アーム部３６に対して第２アーム部３８が直角に配置された初期状態（図４（Ａ）の実線図示状態）に復帰される。
【００４４】
ここで、用語について補足説明すると、請求項１記載の「有効アーム長」とは、第１アーム部３６及び第２アーム部３８によって実際に窓ガラス１６が払拭されるピボット軸３２を中心とした払拭半径のことであり、ピボット軸３２と第２アーム部３８の先端部とを結んだ線分の長さである。従って、図４（Ａ）に実線で示される初期状態の有効アーム長はＲ１であり、回動前半の一点鎖線図示状態の有効アーム長はＲ２（＞Ｒ１）であり、回動後半の二点鎖線図示状態の有効アーム長はＲ３（＞Ｒ２）となる。因みに、Ｒ３が最大有効アーム長であり、Ｒ１からＲ３まで徐々に増加していくのが判る。これに対し、請求項４記載の「アーム長」は、第１アーム部３６又は第２アーム部３８自体の長手方向寸法を意味している。
【００４５】
一方、第１のワイパ装置２８とは別個に第２のワイパ装置３０が作動すると、図４（Ｂ）に示されるように四分円形状に窓ガラス１６が払拭されていく。
【００４６】
図４（Ａ）に示される第１のワイパ装置２８による払拭範囲と図４（Ｂ）に示される第２のワイパ装置３０による払拭範囲とを重ねたものが、本実施形態に係る建物用窓ガラス清掃装置１０の払拭範囲であり、矩形状の窓ガラス１６の全域が払拭される。すなわち、拭き残しが無くなる。なお、図１に一点鎖線で描いた軌跡で囲まれる範囲は、第１のワイパ装置２８と第２のワイパ装置３０によって重複して払拭される範囲である。
【００４７】
このように本実施形態に係る建物用窓ガラス清掃装置１０では、第１アーム部３６と第２アーム部３８とによってワイパアーム３４が構成されており（換言すれば、ワイパアーム３４を複数のアーム部に分割し）、第２アーム部３８が第１アーム部３６に対して相対回転することにより徐々に有効アーム長が増加するようにしたので、有効アーム長が変化しない従来構造に比し、窓ガラス１６の払拭範囲が広くなる（払拭面積が増加する）。従って、窓ガラス１６の拭き残しも少なくなる。その結果、本実施形態によれば、住宅１８等の建物における窓ガラス１６等の被払拭面の拭き残しを極力無くすことができる。
【００４８】
また、本実施形態では、第１アーム部３６と第２アーム部３８とのなす角度が開く方向へトーションスプリング４８を掛け渡し、両者の開き角度を１８０度に制限するストッパ５０を設けたので、第１アーム部３６と第２アーム部３８とが一直線上に並んだ状態が有効アーム長の最大値になる。このため、簡単な構成で、窓ガラス１６に対する払拭範囲を最大限拡大することができる。
【００４９】
さらに、本実施形態では、窓ガラス１６の形状が矩形状とされており、第１アーム部３６のアーム長は窓ガラス１６の上縁（上側の短辺）の長さと略同一に設定されているため、拭き始めとなる上縁側に拭き残しは生じない。また、第１アーム部３６及び第２アーム部３８による最大有効アーム長は窓ガラス１６の左側縁（左側の長辺）の長さと略同一に設定されているため、拭き終わりとなる左側縁側に拭き残しは生じない。従って、矩形状の窓ガラス１６に対する拭き始め位置及び拭き終わり位置での拭き残しを無くすことができる。
【００５０】
また、本実施形態では、初期状態では第１アーム部３６と第２アーム部３８とがトーションスプリング４８の付勢力に抗して直角に配置されており、トーションスプリング４８の付勢力によって第１アーム部３６と第２アーム部３８とが同一直線上に位置されるまでは、第２アーム部３８の先端部は窓ガラス１６の右側縁に沿った移動軌跡に沿って移動していくので、拭き始めから第１アーム部３６と第２アーム部３８とが同一直線上に位置されるまでは（即ち、有効アーム長が最大になるまでは）、第２アーム部３８の先端部が窓ガラス１６の右側縁に沿って移動して、払拭可能な範囲を広げていく。その結果、矩形状の窓ガラス１６に対して払拭可能な範囲を最大限拡大することができる（換言すれば、拭き残しを最小限に抑えることができる）。
【００５１】
さらに、本実施形態では、矩形状の窓ガラス１６の対角線上に位置する一方の角部に第１のワイパ装置２８のワイパアーム３４の回動中心が設定されているため、当該一方の角部を回動中心として払拭範囲が規定される。この場合、窓ガラス１６の対角線上の他方の角部側に拭き残しが生じる。しかし、本実施形態では、当該他方の角部に第２のワイパ装置３０の回動中心を設定したので、発生した拭き残しは第２のワイパ装置３０によって払拭される。その結果、本実施形態によれば、窓ガラス１６の拭き残しを無くすことができる。
【００５２】
また、本実施形態では、住宅１８の屋根２０に設けられるトップライト２２のガラス面及び外壁２４の上部に設けられるハイサイドライト２６のガラス面を建物用窓ガラス清掃装置１０によって清掃することとしたので、人の手が届かないところにあるガラス面を簡単に清掃することができると共に高所作業によるガラス面の清掃作業を無くすことができる。
【００５３】
〔実施形態の補足説明〕
上述した本実施形態では、アーム本体４２とワイパラバー４４とによって第１のワイパ装置２８のアーム構造が構成されていたが、これに限らず、他の構成を採ることも可能である。例えば、ワイパアームの先端部に長尺棒状のアームピースの基端部が固定され、かかるアームピースの先端部に形成されたＵ字状のフックにワイパブレードが揺動可能に係止された一般的な車両用ワイパ装置を用いてもよい。この場合、ワイパブレードは、所謂トーナメント方式による複数のレバー（プライマリレバー、セカンダリレバー、ヨークレバーの三種類のレバー）によってブレードラバーが保持される。このようなトーナメント方式のレバー構造の車両用ワイパ装置は、自動車のウインドシールドガラスのように三次元曲面のガラス面を払拭するためにそのような構造になっている。従って、本実施形態のように二次元状の平面ガラスを払拭する場合には、トーナメント方式のレバー構造にする必要がないので採用しなかったが、仮にトーナメント方式の車両用ワイパ装置を採用しても差し支えない。また、バス等に用いられる所謂パンタグラフ形式のワイパ装置を適用することも可能である。
【００５４】
また、上述した本実施形態では、第１のワイパ装置２８と第２のワイパ装置３０を組み合わせて使用することで拭き残しが無くなるように構成したが、請求項１等の発明には、第１のワイパ装置２８だけの構成も含まれる。
【００５５】
さらに、上述した本実施形態では、ワイパ装置のみを設置する構成を採ったが、これに限らず、図６に示されるように、窓枠１４等にウォッシャ装置のウォッシャノズル６０を設ける構成を採ってもよい。このようにすれば、建物用窓ガラス清掃装置１０を使って窓ガラス１６を払拭する際に、洗浄液を使って払拭することができる。従って、落ち難い汚れもきれいに落とすことができる。その結果、窓ガラス１６をより一層きれいに清掃することができる。
【００５６】
また、上述した本実施形態では、第１のワイパ装置２８のワイパアーム３４を二分割して第１アーム部３６及び第２アーム部３８に分けたが、これに限らず、ワイパアームが複数のアーム部に分割されていればよく、三分割以上に分割されていてもよい。例えば、矩形状の被払拭面の場合には二分割が適しているが、六角形状の被払拭面の場合には三分割されていた方がより正確に払拭範囲を拡大することができる。
【図面の簡単な説明】
【００５７】
【図１】本実施形態に係る建物用窓ガラス清掃装置の全体斜視図である。
【図２】ワイパアームの構造を示す図１の２−２線断面図である。
【図３】制限手段と付勢手段の関係を示す作動説明図である。
【図４】（Ａ）は第１のワイパ装置の払拭範囲を示す平面図であり、（Ｂ）は第２のワイパ装置の払拭範囲を示す平面図である。
【図５】本実施形態に係る建物用窓ガラス清掃装置の適用対象を示す住宅の概略斜視図である。
【図６】ウォッシャ装置を併設した別の実施形態に係る建物用窓ガラス清掃装置の全体斜視図である。
【符号の説明】
【００５８】
１０      建物用窓ガラス清掃装置
１２      窓
１６      窓ガラス（被払拭面）
１８      住宅（建物）
２２      トップライト
２４      外壁
２６      ハイサイドライト
２８      第１のワイパ装置
３０      第２のワイパ装置
３４      ワイパアーム
３６      第１アーム部
３８      第２アーム部
４４      ワイパラバー（払拭部材）
４６      ヒンジピン
４８      トーションスプリング（付勢手段、アーム長変更手段）
５０      ストッパ（規制手段、アーム長変更手段）
６０      ウォッシャノズル
【図１】
2007277860.tif 000003
【図２】
2007277860.tif 000004
【図３】
2007277860.tif 000005
【図４】
2007277860.tif 000006
【図５】
2007277860.tif 000007
【図６】
2007277860.tif 000008